(57)【要約】【課題】  本発明では、記録ディスクメディアの数を増やした場合であっても、記録ディスクメディアの回転状態を安定させることができ、かつ、ケースの厚さの増加を極力抑えることができる記録ディスクカートリッジを提供することを目的とする。【解決手段】  記録ディスクカートリッジ１０は、データの記録・再生に寄与する複数の磁気ディスク１と、複数の磁気ディスク１を一体に連結する回転体２と、複数の磁気ディスク１および回転体２を収容するケース３と、を備えている。そして、ケース３内には、複数の磁気ディスク１をそれぞれ二枚ずつ仕切るための仕切壁として後側収容部６１の底部６１ａ（二段目、三段目）が設けられている。【選択図】      図３
2006031797.tif 000002
【特許請求の範囲】
【請求項１】
データの記録・再生に寄与する複数の記録ディスクメディアと、
前記複数の記録ディスクメディアを一体に連結する回転体と、
前記複数の記録ディスクメディアおよび前記回転体を収容するケースと、を備えた記録ディスクカートリッジであって、
前記ケース内に、前記複数の記録ディスクメディアを二枚以上ずつ仕切るための仕切壁を設けたことを特徴とする記録ディスクカートリッジ。
【請求項２】
請求項１に記載の記録ディスクカートリッジであって、
前記仕切壁、前記ケースの上壁および下壁のうち前記記録ディスクメディアに対向する対向面に、塵埃を除去するためのライナを設けたことを特徴とする記録ディスクカートリッジ。
【請求項３】
請求項１または請求項２に記載の記録ディスクカートリッジであって、
前記仕切壁は、前記複数の記録ディスクメディアを二枚ずつ仕切るように配設されることを特徴とする記録ディスクカートリッジ。
【請求項４】
請求項３に記載の記録ディスクカートリッジであって、
前記仕切壁で仕切られて同じ区画に配置された二枚の記録ディスクメディアは、製造時に付与された反りの向きが互いに離れる方向に向けられて配設されることを特徴とする記録ディスクカートリッジ。
【発明の詳細な説明】
【技術分野】
【０００１】
本発明は、磁気ディスクを複数備える記録ディスクカートリッジに関する。
【背景技術】
【０００２】
近年、記録ディスクカートリッジとしては、記憶容量を増大させるために、一つのケース内に複数の磁気ディスク（記録ディスクメディア）をその回転軸方向に並ぶように設けたものが知られている（特許文献１参照）。このような記録ディスクカートリッジによれば、前記した記憶容量の増大化を図ることができる他、複数の磁気ディスクに対して記録再生装置側の複数のヘッドを別個に動かして同時にアクセスさせることでデータの転送速度の向上を図ることができ、さらには、複数の磁気ディスクのうち一つをパリティ用として利用することで記録ディスクカートリッジの信頼性の向上をも図ることができる。
【０００３】
【特許文献１】特開２００４−２２０１１号公報
【発明の開示】
【発明が解決しようとする課題】
【０００４】
しかしながら、前記の技術では、可撓性の高いフレキシブルな磁気ディスクを回転させるため、その回転によりケース内で負圧が生じると、磁気ディスクが安定した平面状態で回転することができないといった問題があった。このような問題に対して、本願発明者は、各磁気ディスクの間に仕切壁を設け、この仕切壁を各磁気ディスクに近づけることによって、負圧の発生を防止することができる構造を考えている。しかし、このような構造では、ケース内に設ける磁気ディスクの数を増やすと、その分仕切壁も増やさなければならないので、ケースの厚さが嵩むといった問題が生じることが懸念されている。
【０００５】
そこで、本発明では、記録ディスクメディアの数を増やした場合であっても、記録ディスクメディアの回転状態を安定させることができ、かつ、ケースの厚さの増加を極力抑えることができる記録ディスクカートリッジを提供することを目的とする。
【課題を解決するための手段】
【０００６】
前記課題を解決する本発明のうち請求項１に記載の発明は、データの記録・再生に寄与する複数の記録ディスクメディアと、前記複数の記録ディスクメディアを一体に連結する回転体と、前記複数の記録ディスクメディアおよび前記回転体を収容するケースと、を備えた記録ディスクカートリッジであって、前記ケース内に、前記複数の記録ディスクメディアを二枚以上ずつ仕切るための仕切壁を設けたことを特徴とする。
【０００７】
ここで、「記録ディスクメディア」としては、信号の記録・再生方式によって限定されることはなく、例えば磁気ディスクや光ディスクなどを採用することができる。
【０００８】
請求項１に記載の発明によれば、仕切壁やケースの上壁、下壁などで仕切られた空間内に二枚以上ずつ記録ディスクメディアが収容されるので、仕切壁によって複数の記録ディスクメディアを一枚ずつ仕切る構造に比べ、多くの記録ディスクメディアを収容してもケースの厚さをそれほど大きくする必要がなく、かつ、仕切壁近傍にある記録ディスクメディアの回転状態を安定させることができる。
【０００９】
請求項２に記載の発明は、請求項１に記載の記録ディスクカートリッジであって、前記仕切壁、前記ケースの上壁および下壁のうち前記記録ディスクメディアに対向する対向面に、塵埃を除去するためのライナを設けたことを特徴とする。
【００１０】
請求項２に記載の発明によれば、前記した壁のうちの各記録ディスクメディアと対向する対向面にライナが設けられるので、ライナ近傍にある各記録ディスクメディアについては塵埃を確実に除去することができる。
【００１１】
請求項３に記載の発明は、請求項１または請求項２に記載の記録ディスクカートリッジであって、前記仕切壁は、前記複数の記録ディスクメディアを二枚ずつ仕切るように配設されることを特徴とする。
【００１２】
請求項３に記載の発明によれば、全ての記録ディスクメディアのどちらか一方の面が、仕切壁、ケースの上壁または下壁の対向面に設けられたライナによって除塵されるので、記録ディスクカートリッジの信頼性を向上させることができる。
【００１３】
請求項４に記載の発明は、請求項３に記載の記録ディスクカートリッジであって、前記仕切壁で仕切られて同じ区画に配置された二枚の記録ディスクメディアは、製造時に付与された反りの向きが互いに離れる方向に向けられて配設されることを特徴とする。
【００１４】
請求項４に記載の発明によれば、仕切壁で仕切られる二枚の記録ディスクメディアは、それぞれ離れるように反った状態となっているため、記録ディスクメディアの非回転時においては各記録ディスクメディアの外縁が互いに離れた状態になり、記録ディスクメディアの回転時においては各記録ディスクメディアの外縁が遠心力によってその内縁と略同じ位置まで移動して記録ディスクメディア同士は略平行な状態となる。そのため、例えば記録ディスクメディアを回転させた状態から停止させる場合は、各記録ディスクメディアの外縁は遠心力の影響が無くなることによって互いに離れるように移動するので、記録ディスクメディア同士が干渉することによって生じるディスク面の損傷を確実に防止することができる。
【発明の効果】
【００１５】
請求項１に記載の発明によれば、仕切壁やケースの上壁、下壁などで仕切られた空間内に二枚以上ずつ記録ディスクメディアが収容されるので、仕切壁によって複数の記録ディスクメディアを一枚ずつ仕切る構造に比べ、多くの記録ディスクメディアを収容してもケースの厚さをそれほど大きくする必要がなく、かつ、仕切壁近傍にある記録ディスクメディアの回転状態を安定させることができる。
【００１６】
請求項２に記載の発明によれば、各記録ディスクメディアと対向する対向面にライナが設けられるので、ライナ近傍にある各記録ディスクメディアについては塵埃を確実に除去することができる。
【００１７】
請求項３に記載の発明によれば、全ての記録ディスクメディアのどちらか一方の面が、仕切壁、ケースの上壁または下壁の対向面に設けられたライナによって除塵されるので、記録ディスクカートリッジの信頼性を向上させることができる。
【００１８】
請求項４に記載の発明によれば、空間内に収容される二枚の記録ディスクメディアは、それぞれ反対側に反った状態となっているため、記録ディスクメディア同士が干渉することによって生じるディスク面の損傷を確実に防止することができる。
【発明を実施するための最良の形態】
【００１９】
次に、本発明の実施形態について、適宜図面を参照しながら詳細に説明する。
図１に示すように、記録ディスクカートリッジ１０は、六枚の磁気ディスク（記録ディスクメディア）１と、これらの磁気ディスク１を一体に連結する回転体２と、磁気ディスク１および回転体２を収容するケース３およびシャッタ４とで主に構成されている。
【００２０】
磁気ディスク１は、ポリエチレンテレフタレート（ＰＥＴ）等からなる可撓性支持体の両面に磁性体層が形成された、いわゆるフレキシブルディスクであり、その中央部と外周縁部がそれぞれ非記録領域１ａ，１ｂとされ、これらの領域を除く円環状に記録領域１ｃが設定されている。なお、本実施形態においては、これらの非記録領域１ａ，１ｂおよび記録領域１ｃは、磁気ディスク１の両面に設定されている。また、磁気ディスク１の中央部には、円形の取付孔１１（図３（ａ）参照）が形成されている。
【００２１】
なお、この磁気ディスク１は、図２に示すように、コアに巻回されていた材料（可撓性支持体の両面に磁性体層が形成されたもの）を引き出して打ち抜くことによって、製造されるため、その材料が巻回されていたことによる巻き癖（反り）が、打ち抜いた磁気ディスク１に付与されたまま残ることとなっている。
【００２２】
図３（ａ）に示すように、回転体２は、六枚の磁気ディスク１を所定の間隔で一体に連結させるものであり、主に、ハブ２１と、二つの第一スペーサリング２２Ａと、三つの第二スペーサリング２２Ｂと、クランパ２３とで構成されている。ハブ２１は、略有底円筒状に形成された磁性部材であり、主に、略円筒状に形成される筒部２１ａと、この筒部２１ａの下端側に形成される底部２１ｂと、この底部２１ｂの外周側から外方に向かって延びるフランジ２１ｃとで構成されている。また、ハブ２１の底部２１ｂには、図示せぬ記録再生装置内のドライブスピンドルに係合させるための略四角形状の中心孔２１ｄ（図４参照）が形成されている。すなわち、ハブ２１は、その底部２１ｂの中心孔２１ｄに前記ドライブスピンドルの略四角形状の軸が係合され、かつ、ハブ２１の下面全体が前記ドライブスピンドルによって磁気的に吸着されることによって、前記ドライブスピンドルとともに回転するように構成されている。
【００２３】
スペーサリング２２Ａ，２２Ｂは、六枚の磁気ディスク１をそれぞれ所定の間隔を空けて保持するために、各磁気ディスク１の間に配設されるリング状の部材である。具体的には、第一スペーサリング２２Ａは、ケース３内の上下方向に分かれて形成される三つの部屋Ｒ１，Ｒ２，Ｒ３のそれぞれに二枚一組となる磁気ディスク１を収容させるために、各一組の磁気ディスク１を所定の間隔を空けて保持するものである。また、第二スペーサリング２２Ｂは、一つの部屋Ｒ１（または部屋Ｒ２，Ｒ３）内において二枚の磁気ディスク１を所定の間隔を空けて保持するために、第一スペーサリング２２Ａよりも薄めに形成されている。そして、この第二スペーサリング２２Ｂを介して保持される二枚の磁気ディスク１は、それぞれ製造時に付与された反り（図２参照）の方向が互いに逆方向（離れる方向）を向くように配設されている（図３（ｂ）参照）。
【００２４】
クランパ２３は、略有底円筒状に形成される部材であり、主に、略円筒状に形成される筒部２３ａと、この筒部２３ａの上端側に形成される底部２３ｂと、この底部２３ｂの外周側から外方に向かって延びるフランジ２３ｃとで構成されている。そして、クランパ２３の筒部２３ａは、ハブ２１の筒部２１ａの内周面に嵌合可能な大きさで形成されており、これにより、クランパ２３の筒部２３ａをハブ２１の筒部２１ａに嵌め込むと、クランパ２３のフランジ２３ｃとハブ２１のフランジ２１ｃとによって磁気ディスク１およびスペーサリング２２Ａ，２２Ｂが一体に固定されるようになっている。具体的には、ハブ２１のフランジ２１ｃに、第二スペーサリング２２Ｂを間に挟んだ二枚一組の磁気ディスク１をセットした後に、スペーサリング２２Ａ，２２Ｂを介して二組目と三組目の磁気ディスク１の組を重ねていき、最後にクランパ２３をハブ２１に嵌め込むことで、クランパ２３のフランジ２３ｃとハブ２１のフランジ２１ｃとによって六枚の磁気ディスク１が所定の間隔で一体に固定されるようになっている。
【００２５】
図１に示すように、ケース３は、回転体２によって一体に固定された六枚の磁気ディスク１を収容するためのものであり、収容される磁気ディスク１の中心を基準にして二つのハーフ５，６に分割されている。なお、以下の説明においては、ケース３のうちシャッタ４が取り付けられる側を前側と呼び、その反対側を後側と呼ぶこととし、さらに、前記した二つのハーフ５，６を、前側ハーフ５および後側ハーフ６とも呼ぶこととする。また、説明の便宜上、後側ハーフ６から説明することとする。
【００２６】
後側ハーフ６は、図５に示すように、上下に四分割されており、その下側の一段目から三段目を構成する同一形状の後側収容部６１と、三段目の後側収容部６１の上端に接合される平板状の後側上壁部６２とで主に構成されている。後側収容部６１は、矩形の平板の三辺に側壁を立設したトレー状の形状となっており、その底部６１ａの前端の中央部には、回転体２（図３，４参照）の外径よりも大径となる半円状の逃がし部６１ｂが形成されている。そして、各後側収容部６１と後側上壁部６２とを重ねて接合することで、三枚の磁気ディスク１の後側部分をそれぞれ収容するための三つの部屋Ｒ１，Ｒ２，Ｒ３が形成されるようになっている（図３参照）。なお、三つの後側収容部６１のうち二段目と三段目の後側収容部６１の底部６１ａが、特許請求の範囲にいう「仕切壁」に相当している。
【００２７】
図１に示すように、前側ハーフ５には、その前部にシャッタ４を取り付けるための凹部５１が、上面５ａ、前面５ｂ、下面５ｃに渡って形成されている。この凹部５１には、その上面５１ａ、前面５１ｂ、下面５１ｃに渡って開口部５１ｄが形成されており、この開口部５１ｄを介して図示せぬ記録再生装置の複数の磁気ヘッドがケース３の内部の各磁気ディスク１にアクセスすることが可能となっている。また、凹部５１の上面５１ａには、後記するシャッタ４の抜け止め用の係止爪４１を係止させるための係止用孔５１ｅが開口部５１ｄを挟んだ両側に形成されている。さらに、凹部５１の前面５１ｂには、後記するシャッタ４のスライド用のガイド爪４２を摺動自在に係合させるための溝状のスリット５１ｆと、シャッタ４を常時閉方向（図示手前側）に付勢するためのシャッタ閉塞用ばね７（図４参照）の一端部７１を収容し、かつ、図示せぬ係止部で係止するための係止穴５１ｇとが形成されている。
【００２８】
また、前側ハーフ５は、図６に示すように、複数に分割されて構成されている。詳しくは、下側の一段目を構成する第一収容部５２と、二段目を構成する第二収容部５３と、三段目を構成する第三収容部５４と、この第三収容部５４の上端に接合される前側上壁部５５とで主に構成されている。
【００２９】
第一収容部５２は、前記した後側収容部６１（図５参照）に対してほぼ前後対称となる形状に形成されており、その前壁５２ｃには、前記した凹部５１、開口部５１ｄ、スリット５１ｆ、係止穴５１ｇの下側半分を構成する形状部５２ｄが適宜形成されている。これに対し、略平板状となる前側上壁部５５の前端には、前記した凹部５１、開口部５１ｄ、スリット５１ｆ、係止穴５１ｇの上側半分を構成する形状部５５ｄ（係止用孔５１ｅの形状部分も含む）が適宜形成されている。
【００３０】
第二収容部５３は、前記した後側収容部６１（図５参照）に対してほぼ前後対称となる形状に形成されており、その底部５３ａに形成された半円状の逃がし部５３ｂから前方に向かって所定の幅の分割溝５３ｃが形成されることによって、実質、二部品に分かれて構成されている。また、第二収容部５３の前部は、第一収容部５２（または、前側上壁部５５）の前部に形成された前記形状部５２ｄから逃がすように所定形状に削り取られた形状となっている。なお、第三収容部５４は、第二収容部５３と同じ構造であるため、その説明を省略する。そして、このように第二収容部５３および第三収容部５４に分割溝５３ｃ，５４ｃが形成されることによって、前側ハーフ５の開口部５１ｄから挿入される図示せぬ複数の磁気ヘッドが磁気ディスク１の記録領域１ｃ（図１参照）の内周縁まで良好に移動することが可能となっている。なお、前記した第二収容部５３の底部５３ａおよび第三収容部５４の底部５４ａが、特許請求の範囲にいう「仕切壁」に相当している。
【００３１】
そして、前記したハーフ５，６を構成する各部品（５２〜５５、６１，６２）には、図７（ａ）に示すような半リング状の第一ライナ８１や、図７（ｂ）に示すような前記第一ライナ８１をほぼ半分に分割したような形状（第一ライナ８１の中心から円弧の先端にかかる部分を前記した分割溝５３ｃと同じ幅だけ取り除くことによって形成される略扇形の形状）の第二ライナ８２が適宜固着されている。具体的には、図６に示す前側ハーフ５を構成する部品のうち、第一収容部５２の底部５２ａの上面および前側上壁部５５の下面には、第一ライナ８１が固着され、第二収容部５３の底部５３ａの両面および第三収容部５４の底部５４ａの両面には、第二ライナ８２が固着されている。また、図５に示す後側ハーフ６を構成する部品のうち、一段目を構成する後側収容部６１の上面、二段目および三段目を構成する後側収容部６１の両面および後側上壁部６２の下面には、第一ライナ８１が固着されている。
【００３２】
ここで、前記ライナ８１，８２は、不織布などで形成されており、磁気ディスク１に付着した塵埃を除去する機能を有する他、その弾力性によって磁気ディスク１との干渉を和らげる機能を有している。また、各ライナ８１，８２の内周縁から外周縁までの長さは、前記した磁気ディスク１の記録領域１ｃ（図１参照）の内周縁から外周縁までの長さ以上の大きさとなるように形成されている。
【００３３】
なお、前記ライナ８１，８２が固着される前記した各面は、特許請求の範囲にいう「対向面」に相当している。そして、このような対向面に相当する各面は、図３（ａ）に示すように、後側上壁部６２の下面（図示せぬ前側上壁部５５の下面も含む）以外、全て磁気ディスク１との距離が所定値となるまで近づけられた状態で形成されている。これにより、磁気ディスク１と対向面とが離れて配置されることに起因して生じる磁気ディスク１の回転に伴う負圧の発生が防止されることとなる。なお、前記対向面と磁気ディスク１との距離は、０．５〜５（ｍｍ）程度にするのが望ましい。
【００３４】
図１に示すように、シャッタ４は、上壁４ａ、前壁４ｂ、下壁４ｃによって断面視略Ｕ字状に形成されており、これにより前側ハーフ５の凹部５１に嵌まり込んで左右にスライドする構造となっている。そして、シャッタ４の上壁４ａには、シャッタ４の抜け止めに寄与する二つの係止爪４１が切り曲げられて形成されており、これらの係止爪４１は、前側ハーフ５に形成された二つの係止用孔５１ｅによって前後方向のみにおいて係止され、かつ、左右方向においては摺動が許容されるようになっている。
【００３５】
また、シャッタ４の前壁４ｂには、シャッタ４のスライドに寄与するガイド爪４２が後方に向けて切り曲げられて形成されるとともに、その上端から下端にわたる範囲で開口部４３が形成されている。そして、前記したガイド爪４２が前側ハーフ５に形成されたスリット５１ｆに摺動自在に係合するとともに、シャッタ閉塞用ばね７の他端部７２と係合することによって、このシャッタ閉塞用ばね７でシャッタ４が常時閉方向（図示手前側）に付勢されるようになっている。
【００３６】
すなわち、シャッタ４は、シャッタ閉塞用ばね７によって閉方向側に押し付けられている状態においては、その前壁４ｂで前側ハーフ５の開口部５１ｄを塞ぎ、また、シャッタ閉塞用ばね７の付勢力に抗して開方向側の所定位置まで移動させた状態においては、その開口部４３が前側ハーフ５の開口部５１ｄと一致するように構成されている。なお、シャッタ閉塞用ばね７は、その基部７３が前側ハーフ５のスリット５１ｆから挿入されて前側ハーフ５内に収容され（図４参照）、かつ、その一端部７１が係止穴５１ｇ内に収容されるようになっており、その他端部７２（折り曲げられた部分）のみがスリット５１ｆ近傍の前面５１ｂに引っ掛かった状態でシャッタ４と係合するようになっている。
【００３７】
次に、記録ディスクカートリッジ１０の作用について図３を参照して説明する。
記録ディスクカートリッジ１０を図示せぬ記録再生装置内にセットすると、まず、この記録再生装置内のドライブスピンドルによって回転体２と一体に磁気ディスク１が回転することとなる。このとき、各磁気ディスク１は、近傍に設置された各ライナ８１（８２）と適宜摺接するため、各磁気ディスク１の上面または下面に塵埃が付着した状態であっても、この塵埃がライナ８１によって除去されることとなる。なお、磁気ディスク１の回転開始時においては、フレキシブルである磁気ディスク１の外縁が上下に振れることがあるが、このように振れたとしても磁気ディスク１は、弾力性に富んだライナ８１と接触するので、その損傷が防止されることとなる。
【００３８】
そして、このような各磁気ディスク１の塵埃除去工程が終わって、各磁気ディスク１が安定した回転状態となったときに、図示せぬ複数の磁気ヘッドを、図１に示す開口部５１ｄから挿入することによって、各磁気ヘッドによって各磁気ディスク１の両面に対してデータが良好に記録・再生されることとなる。なお、このような記録・再生時においても、各磁気ディスク１は適宜ライナ８１に摺接しているので、記録・再生時において塵埃が入ってきたとしても、その塵埃がライナ８１によって即座に除去されることとなる。
【００３９】
さらに、各磁気ディスク１への記録・再生を終了させて、その回転を停止させた場合は、図３（ｂ）に示すように、一つの部屋Ｒ１（または部屋Ｒ２，Ｒ３）に収容されている二枚の磁気ディスク１の外縁は遠心力の影響が無くなることによって互いに離れるように（付与されている反りの方向に）移動することとなる。
【００４０】
以上によれば、本実施形態において、次のような効果を得ることができる。
一つの部屋Ｒ１（または部屋Ｒ２，Ｒ３）内に二枚の磁気ディスク１が収容されるので、仕切壁によって複数の磁気ディスクを一枚ずつ仕切る構造に比べ、多くの磁気ディスク１を収容してもケース３の厚さをそれほど大きくする必要がなく、かつ、仕切壁（底部６１ａ等）近傍にある磁気ディスク１の回転状態を安定させることができる。
【００４１】
各磁気ディスク１に対するケース３側の対向面にライナ８１，８２が設けられるので、各磁気ディスク１の片面については塵埃を確実に除去することができる。また、磁気ディスク１が上下に振れつつ回転したとしても、磁気ディスク１は弾力性に富んだライナ８１，８２に接触することでその衝撃が緩和されるので、磁気ディスク１と堅いケース３との接触による磁気ディスク１の損傷をも防止することができる。
【００４２】
一つの部屋Ｒ１（または部屋Ｒ２，Ｒ３）内に収容される二枚の磁気ディスク１は、それぞれ反対側に反った状態となるように配設されるため、磁気ディスク１同士が干渉することによって生じるディスク面の損傷を確実に防止することができる。
【００４３】
各磁気ディスク１の片面のみがライナと摺接するようになっているので、ライナが回転の際の妨げになることなく、各磁気ディスク１を良好に回転させることができる。また、ライナで除塵される側のディスク面を、パリティ用の領域とすることによって、例えば除塵されない側のディスク面が塵埃によって記録・再生することが不能な状態となっても、そのディスク面に記録されたデータを、常時除塵されることによって良好な状態に保たれているディスク面のデータによって復旧させることができる。
【００４４】
以上、本発明は、前記実施形態に限定されず、様々な形態で利用することができる。
本実施形態では、磁気ディスク１の数を六枚としたが、本発明はこれに限定されず、いくつであってもよい。また、一つの部屋Ｒ１（または部屋Ｒ２，Ｒ３）内に設ける磁気ディスク１の数も、三枚以上であってもよい。
【００４５】
本実施形態では、磁気ディスク１の両面に記録領域１ｃを設けたが、本発明はこれに限定されず、片面のみに記録領域を設けてもよい。
本実施形態では、シャッタ４をスライド式のものとしたが、本発明はこれに限定されず、例えばロータリ（回転）式のシャッタであってもよい。
【００４６】
本実施形態では、前側ハーフ５および後側ハーフ６を上下に四分割した構成としたが、本発明はこれに限定されず、例えば前側ハーフ５および後側ハーフ６を射出成型によってそれぞれ一体成型してもよい。また、ケース３を前後に分割する構成としたが、左右に分割する構成としてもよい。
【図面の簡単な説明】
【００４７】
【図１】本実施形態に係る記録ディスクカートリッジを示す分解斜視図である。
【図２】製造時に磁気ディスクに付与される反りを説明するための斜視図である。
【図３】図１の記録ディスクカートリッジの内部構造として後側の部分を代表して示した要部拡大断面図であり、回転しているときの磁気ディスクの状態を示す要部拡大断面図（ａ）と、回転していないときの磁気ディスクの状態を示す要部拡大断面図（ｂ）である。
【図４】図３（ａ）の矢印Ａから見た下面図である。
【図５】図１の後側ハーフを示す分解斜視図である。
【図６】図１の前側ハーフを示す分解斜視図である。
【図７】ケース内に設けるライナを示す図であり、半リング状の第一ライナを示す斜視図（ａ）と、略扇状の第二ライナを示す斜視図（ｂ）である。
【符号の説明】
【００４８】
１０    記録ディスクカートリッジ
１      磁気ディスク
２      回転体
３      ケース
４      シャッタ
５      前側ハーフ
５２    第一収容部
５２ａ  底部
５３    第二収容部
５３ａ  底部
５４    第三収容部
５４ａ  底部
５５    前側上壁部
６      後側ハーフ
６１    後側収容部
６１ａ  底部
６２    後側上壁部
８１    第一ライナ
８２    第二ライナ
【図１】
2006031797.tif 000003
【図２】
2006031797.tif 000004
【図３】
2006031797.tif 000005
【図４】
2006031797.tif 000006
【図５】
2006031797.tif 000007
【図６】
2006031797.tif 000008
【図７】
2006031797.tif 000009